(57)【特許請求の範囲】
【請求項１】
（イ）ハウジング、
（ロ）該ハウジングの外面に第１の開口を有し内方に向かい穿設され第１の終端部を有する透析液流入流路、
（ハ）該ハウジングの外面に第２の開口を有し内方に向かい穿設され第２の終端部を有する透析液流出流路、
（ニ）該ハウジングの外面に第３の開口を有し内方向かい穿設され、前記第１の終端部と前記第２の終端部との間に位置する透析液サンプリング流路、
（ホ）前記透析液流入流路の前記第１の終端部下方に設けられた第１の透析液流通口、
（ヘ）前記透析液流出流路の前記第２の終端部下方に設けられた第２の透析液流通口、
（ト）前記該透析液サンプリング流路の下端に設けられた第３の透析液流通口、
（チ）前記第１、第２および第３の透析液流通口を開閉自在になすように、これらの透析液流通口に対向して設けられた弁体、
（リ）前記ハウジングに着脱自在に設けられ前記第３の開口を開閉するキャップ、
（ヌ）該キャップが前記ハウジングから外された際、前記第１、第２および第３の透析液流通口の前記弁体による閉止がなされるように前記弁体をこれら透析液流通口に対し位置せしめる第１の弁体位置決め手段、および、
（ル）前記キャップが前記ハウジングに装着されている間、および、前記キャップが前記ハウジングから外され、前記第３の開口に透析液サンプリング手段が装着された際、前記第１、第２および第３の透析液流通口の前記弁体による閉止を解除し、透析液が前記第１の開口、前記透析液流入流路、前記第１の透析液流通口、前記第２の透析液流通口、前記透析液流出流路、および、前記第２の開口、ならびに、前記第３の透析液流通口、前記透析液サンプリング流路、および、前記第３の開口に透析液が流通するように前記弁体をこれら透析液流通口に対し位置せしめる第２の弁体位置決め手段、
からなる透析液サンプリングポート。
【請求項２】
前記キャップに、透析液が前記析液サンプリング流路方向に逆流しないようにする逆止弁が介在し洗浄ラインに係合されるチューブが装着されている請求項１に記載の透析液サンプリングポート。
【発明の詳細な説明】
【０００１】
【発明の属する技術分野】
本発明は、透析システムにおける透析液流路において使用されている透析液の状態を検査するために、必要に応じて、透析液を当該透析液流路からサンプリングするために使用される、透析液流路に装備される透析液サンプリングポートに関する。
【０００２】
【従来の技術】
従来から、透析システムにおいて使用されている透析液の状態を検査するために、透析液流路から透析液をサンプリングすることは行われており、その際、透析液流路に透析液サンプリングポートを設け、そこから検査に必要な量の透析液を抜き取る手法が用いられている。
【０００３】
しかし、従来の透析液サンプリングポートは、ポート内のサンプリングされる透析液の流路に流入した透析液が、その流路に滞留、劣化したり、サンプリングのためにサンプリングされる透析液の流路にサンプリング手段、例えば、シリンジを結合させるために、当該流路の外部への開口部に設けられているキャップを取り外した際に、当該流路が外部からの汚染を受けた場合、サンプリング後キャップを取り付けた状態で、当該流路に汚染が残留し、劣化あるいは汚染を受け内部に残留する透析液の洗浄あるいは消毒が出来る構造とはなっていなかった。
【０００４】
【発明が解決しようとする課題】
本発明は、前記従来技術の問題点を解決し、透析液のサンプリングにおいて透析液の汚染が防止され、透析液を衛生的にサンプリングすることを可能にした透析液サンプリングポートを提供することを目的とする。
【０００５】
【課題を解決するための手段】
上記目的を達成するための本発明に係る透析液サンプリングポートは、
（イ）ハウジング、
（ロ）該ハウジングの外面に第１の開口を有し内方向かい穿設され第１の終端部を有する透析液流入流路、
（ハ）該ハウジングの外面に第２の開口を有し内方向かい穿設され第２の終端部を有する透析液流出流路、
（ニ）該ハウジングの外面に第３の開口を有し内方向かい穿設され、前記第１の終端部と前記第２の終端部との間に位置する透析液サンプリング流路、
（ホ）前記透析液流入流路の前記第１の終端部下方に設けられた第１の透析液流通口、
（ヘ）前記透析液流出流路の前記第２の終端部下方に設けられた第２の透析液流通口、
（ト）前記該透析液サンプリング流路の下端に設けられた第３の透析液流通口、
（チ）前記第１、第２および第３の透析液流通口を開閉自在になすように、これらの透析液流通口に対向して設けられた弁体、
（リ）前記ハウジングに着脱自在に設けられ前記第３の開口を開閉するキャップ、
（ヌ）該キャップが前記ハウジングから外された際、前記第１、第２および第３の透析液流通口の前記弁体による閉止がなされるように前記弁体をこれら透析液流通口に対し位置せしめる第１の弁体位置決め手段、および、
（ル）前記キャップが前記ハウジングに装着されている間、および、前記キャップが前記ハウジングから外され、前記第３の開口に透析液サンプリング手段が装着された際、前記第１、第２および第３の透析液流通口の前記弁体による閉止を解除し、透析液が前記第１の開口、前記透析液流入流路、前記第１の透析液流通口、前記第２の透析液流通口、前記透析液流出流路、および、前記第２の開口、ならびに、前記第３の透析液流通口、前記透析液サンプリング流路、および、前記第３の開口に透析液が流通するように前記弁体をこれら透析液流通口に対し位置せしめる第２の弁体位置決め手段、
からなる。
【０００６】
本発明に係る透析液サンプリングポートにおいて、前記キャップに、透析液が前記析液サンプリング流路方向に逆流しないようにする逆止弁が介在し洗浄ラインに係合されるチューブが装着されていることが好ましい。
【０００７】
【発明の実施の形態】
次に、本発明を実施態様を用いて図面を参照しながら説明する。
【０００８】
図１は、本発明に係る透析液サンプリングポートの一実施例の縦断面図である。図１において、透析液サンプリングポート１は、ハウジング２、ネジ部３においてハウジング２に対し着脱自在に螺合した上側キャップ４、および、ネジ部５においてハウジング２に対し着脱自在に螺合した下側キャップ６とからなる。
【０００９】
ハウジング２には、その外面に第１の開口１１を有し内方に向かい穿設され第１の終端部１２を有する透析液流入流路１３が設けられている。
【００１０】
また、ハウジング２には、その外面に第２の開口２１を有し内方に向かい穿設され第２の終端部２２を有する透析液流出流路２３が設けられている。
【００１１】
更に、また、ハウジング２には、その外面に第３の開口３１を有し内方に向かい穿設され、第１の終端部１２と第２の終端部２２との間に位置する透析液サンプリング流路３２が設けられている。
【００１２】
透析液流入流路１３の第１の終端部１２の下方には、第１の透析液流通口１４が設けられ、透析液流出流路２３の第２の終端部２２の下方には、第２の透析液流通口２４が設けられ、透析液サンプリング流路３２の下端には、第３の透析液流通口３３が設けられている。
【００１３】
この実施例では、第１の終端部１２と第２の終端部２２とは、透析液サンプリング流路３２の外側を取りまく環状流路２９で結合されている。環状流路２９は、逆Ｕ字形状の流路で、下面は全周にわたり開放されている。この下面の開放により、第１の透析液流通口１４と第２の透析液流通口２４とが形成されている。
【００１４】
第１の透析液流通口１４、第２の透析液流通口２４および第３の透析液流通口３３を開閉自在になすように、これらの透析液流通口１４、２４、３３に対向して、弁体４１が設けられている。弁体４１は、この実施例では、ダイアフラムからなり、その周囲は、ハウジング２に固定されている。
【００１５】
下側キャップ６の中央凹部４２には、バネ４３が取り付けられ、バネ４３の頂部には、弁体４１の下面に当接するバネキャップ４４が載置されている。バネ４３は、バネキャップ４４を介して、弁体４１を、第１の透析液流通口１４、第２の透析液流通口２４および第３の透析液流通口３３に向かい押圧する作用を有する。
【００１６】
この実施例では、本発明に云う第１の弁体位置決め手段は、バネ４３により形成されている。
【００１７】
透析液サンプリング流路３２には、移動ロッド５１が、透析液サンプリング流路３２の壁面に沿って摺動自在に、収納されている。移動ロッド５１の下端は、弁体４１の上面に当接されている。
【００１８】
図２は、移動ロッド５１の図１に示すＸ−Ｘ矢視断面図である。移動ロッド５１は、十字５２からなる充実断面を有するロッドである。十字５２間の空隙部５３は、サンプリングされる透析液が流動する透析液流路を形成する。
【００１９】
上側キャップ４の下面中央部には、ピン５４が固設されている。ビン５２の先端は、移動ロッド５１の頂部に当接される。
【００２０】
次に、弁体４１と移動ロッド５１との動きの関係を説明するとともに本発明に係る透析液サンプリングポートの作用を説明する。
【００２１】
透析液サンプリングポート１は、その透析液流入路１３の第１の開口１１と透析液流出路２３の第２の開口２１とが透析システムの透析液流路に結合されることにより、透析システムに組み込まれる。透析システムにおいて通常の透析が行われているときは、透析液サンプリングポート１の上側キャップ４は、ハウジング２にねじ部３により螺着されている。この螺着により、ピン５４は、移動ロッド５１を下方に押し下げ、押し下げられた移動ロッド５１により、弁体４１は、下方に押し下げられた状態とされる。
【００２２】
透析システムの透析液流路から透析液流入路１３に流入した透析液は、その大部分が、第１の終端部１２を経て左右両側に分かれ環状流路２９を流れ、第２の終端部２２で合流し、透析液流出流路２３からその先の透析システムの透析液流路へと流動する。透析液流入路１３に流入した透析液の残りの部分は、第１の透析液流通口１４を通り第２の透析液流通口２４へと流動し、この間に、その一部は、透析液サンプリング流路３２に流入する。透析液サンプリング流路３２に流入した透析液は、空隙部５３を満たす。
【００２３】
透析液の状態の検査が必要になると、人手により上側キャップ４が回され、ねじ部３の螺合がとかれ、上側キャップ４がハウジング２から取り去られる。この上側キャップ４の除去に応じて、バネ４３の作用により、弁体４１が上側に移動し、透析液流通口１４、２４、３３がそれぞれ閉止される。この閉止により、上側キャップ４がハウジング２から除去された際の透析液の第３の開口３１からの溢流が防止される。なお、移動した弁体４１により、透析液流通口１４、２４、３３が閉止された際、透析液の透析液流入路１３から透析液流出路２３への流れが継続されていることが好ましいが、その継続は、第１の終端部１２と第２の終端部２２とを結合する環状流路２９により確保される。
【００２４】
次いで、透析液のサンプリング手段、例えば、シリンジ（図示せず）が、人手により第３の開口３１に装着され、装着とともにあるいは装着後に、シリンジを下方に移動させることにより、移動ロッド５１を押し下げると、弁体４１が、バネ４３の弾発力に抗して押し下げられ、透析液流通口１４、２４、３３がそれぞれ再度開放され、透析システムで使用中の透析液が透析液サンプリング流路３２に流入し、その結果、シリンジに透析液サンプルが収容される。
【００２５】
透析液サンプルの摘出が終了すると、シリンジが除去され、それとともに、バネ４３の作用により、弁体４１が上側に移動し、透析液流通口１４、２４、３３がそれぞれ閉止され、透析液の第３の開口３１からの溢流が防止される。
【００２６】
次いで、上側キャップ４がハウジング２に螺合されつつ装着されると、ピン５４が、移動ロッド５１を押し下げ、これに伴い、弁体４１が押し下げられ、透析液流通口１４、２４、３３がそれぞれ開放される。
【００２７】
この実施例では、本発明に云う第２の弁体位置決め手段は、上側キャップ４あるいは透析液のサンプリング手段の装着により押し下げられる移動ロッド５１により形成されている。
【００２８】
一方、透析システムの透析液流路は、洗浄液あるいは消毒液を流通させることにより、洗浄あるいは消毒を行う工程を有している。この洗浄あるいは消毒工程において、上側キャップ４がハウジング２に装着された状態でも、洗浄液あるいは消毒液が、透析液流通口１４、３３を通り、透析液サンプリング流路３２に流入し、透析液流通口３３、２４を通り、透析液サンプリング流路３２から流出する洗浄液あるいは消毒液の透析液サンプリング流路３２内での流動状態が形成される。この点が、従来の透析液サンプリングポートにはない、本発明に係る透析液サンプリングポートの特徴である。
【００２９】
なお、透析液サンプリング流路３２における洗浄液あるいは消毒液の流動状態を更に良くするには、上側キャップ４に、析液サンプリング流路３２に通じる洗浄液あるいは消毒液の流出路６１を設け、かつ、逆止弁６２が介在する流出管路（チューブ）６３を流出路６１に接続し、洗浄あるいは消毒工程の際に、洗浄液あるいは消毒液を析液サンプリング流路３２外に流出せしめるようにしておくことが好ましい。
【００３０】
【発明の効果】
本発明に係る透析液サンプリングポートによれば、透析システムにおいて透析液流路が洗浄あるいは消毒工程にある際に、透析液サンプリングポートのキャップがハウジングに装着されているが、この状態において、第１、第２および第３の透析液流通口の弁体による閉止が解除され、洗浄液あるいは消毒液が透析液サンプリング流路に流通するようになされているため、従来不可能とされていた実質的に汚染のない透析液のサンプリングが可能となる。
【図面の簡単な説明】
【図１】  本発明に係る透析液サンプリングポートの一実施例の縦断面図。
【図２】  図１におけるＸ−Ｘ矢視断面図。
【符号の説明  】
１：透析液サンプリングポート
２：ハウジング
３：ネジ部
４：上側キャップ
５：ネジ部
６：下側キャップ
１１：第１の開口
１２：第１の終端部
１３：透析液流入流路
１４：第１の透析液流通口
２１：第２の開口
２２：第２の終端部
２３：透析液流出流路
２４：第２の透析液流通口
２９：環状流路
３１：第３の開口
３２：透析液サンプリング流路
３３：第３の透析液流通口
４１：弁体
４２：中央凹部
４３：バネ
４４：バネキャップ
５１：移動ロッド
５２：十字
５３：空隙部
５４：ピン
６１：洗浄液あるいは消毒液の流出路
６２：逆止弁
６３：流出管路（チューブ）
【図１】
0004352368.tif 000002
【図２】
0004352368.tif 000003